(57)【特許請求の範囲】
【請求項１】
セットされた原稿を順次搬送する原稿給送手段と、該原稿給送手段によって搬送されてくる原稿の原稿画像を読み取る原稿読取手段とを有する画像処理装置であって、
前記原稿給送手段にセットされた原稿の第１の原稿セット向きの設定を、上辺を奥向きに設定、または上辺を左向きに設定の何れかから、第２の原稿セット向きの設定を、上辺を奥向きに設定、上辺を左向きに設定、上辺を下向きに設定、上辺を右向きに設定の何れかからそれぞれ受け付ける原稿セット向き受付手段と、
前記原稿読取手段によって読み取られた原稿画像データに基づいて、前記原稿セット向き受付手段によって受け付けた第１の原稿セット向きと第２の原稿セット向きとの２方向のみについて、前記原稿給送手段にセットされた原稿の原稿セット向きを判定する原稿セット向き判定手段と、
前記原稿読取手段によって読み取られた原稿画像データの回転処理を行う画像処理手段とを具備し、
前記画像処理手段は、前記原稿セット向き判定手段による判定結果に基づいて原稿画像データの回転処理を行うことを特徴とする画像処理装置。
【請求項２】
前記画像処理手段は、前記原稿セット向き判定手段による判定が不能であった場合、前記原稿セット向き受付手段によって受け付けた第１の原稿セット向きに基づいて回転処理を行うことを特徴とする請求項１記載の画像処理装置。
【請求項３】
原稿セット向き判定手段は、前記第１の原稿セット向きと、前記第２の原稿セット向きとにそれぞれ回転させた原稿画像データについてＯＣＲ処理を行い、それぞれ向きでの識字率をそれぞれ算出し、そして、いずれの向きでも識字率が所定の値未満であった場合には、判定不能であると判断し、いずれか一つ以上の向きで識字率が所定の値以上であった場合には、最も識字率が高い向きを原稿セット向きとして判定することを特徴とする請求項１又は２記載の画像処理装置。
【請求項４】
前記原稿セット向き受付手段は、第２の原稿セット向きの設定として第１の原稿セット向き以外の３方向のいずれかの原稿セット向きの設定を受け付けることを特徴とする請求項１乃至３のいずれかに記載の画像処理装置。
【発明の詳細な説明】
【技術分野】
【０００１】
本発明は、ＡＤＦ（Auto Sheet Feeder）等の原稿給送部にセットされた原稿を読み取り、読み取った原稿画像データを出力する画像形成装置に係り、特に原稿給送部にセットされた原稿の原稿セット向きを判定する機能を有する画像処理装置に関する。
【背景技術】
【０００２】
原稿給送部にセットされた原稿束は、上辺の向きが揃っているとは限らないため、読み取った原稿画像データに基づいて、各ページの原稿セット向きをそれぞれ自動的に判定し、その判定結果に基づいて各ページの原稿画像データに対して必要に応じて回転処理を行い、原稿画像データの上辺を上向きに自動的に揃える技術が提案されている（例えば、特許文献１、２参照）。
【０００３】
原稿セット向きの判定処理は、方向性のある文字自体や頁表記等のレイアウトに基づいて行われるのが一般的であり、原稿束の中に、写真やイラストのみの原稿や、白地の原稿があった場合は、原稿セット向きが判定不能になったり、誤判定されたりし、写真やイラストのみの原稿は、他のページと異なった上辺となってしまうことがある。例えば、図７に示すように、３ページ目が写真やイラストのみの原稿であり、原稿セット向きが判定不能になったり、誤判定されたりした場合には、回転処理によってどの向きにも回転される可能性があり、正しい向きに回転される可能性は、１／４程度になってしまう。
【０００４】
そこで、原稿セット向きが判定不能である場合には、裏面を参照して原稿セット向きの判定を行う技術や（例えば、特許文献３参照）、最初のページの原稿セット向きのみを判定し、その判定結果に基づいて、全てのページの原稿画像データに同じ回転処理を行う技術が提案されている（例えば、特許文献４参照）。
【先行技術文献】
【特許文献】
【０００５】
【特許文献１】特開平０６−１０３４１０号公報
【特許文献２】特開平１１−１２０３２１号公報
【特許文献３】特開平０６−２２５０５３号公報
【特許文献４】特開２００３−１１０８２９号公報
【発明の概要】
【発明が解決しようとする課題】
【０００６】
しかしながら、特許文献３のように、裏面を参照して原稿セット向きの判定を行う場合には、表裏を間違えてセットされた原稿や、両面印字された原稿には、有効であるが、写真やイラストのみの片面原稿には、対応することができないと共に、原稿向きの判定処理の作業量が増えてしまうという問題点があった。
また、特許文献４のように、最初のページの判定結果に基づいて全てのページの原稿画像データに同じ回転処理を行う場合には、原稿向きの判定処理の作業量を軽減させることができるが、原稿束のうち、一部のページの画像の向きが、他のページの画像と異なる場合には、そのページだけが、他のページと異なった上辺となってしまうという問題点があった。例えば、図８に示すように、４ページ目の原稿セット向きが上辺奥であり、最初のページの原稿セット向きの上辺左と異なっていた場合には、４ページ目の原稿画像データは、最初のページと同じ右９０°回転されることになり、４ページ目の原稿画像データだけ異なった上辺となってしまう。
【０００７】
本発明の目的は、上記問題点に鑑み、従来技術の問題を解決し、原稿向きの判定処理の作業量を軽減させ、原稿セット向きが判定不能な原稿も、上辺を正しく揃えることができる画像処理装置を提供することにある。
【課題を解決するための手段】
【０００８】
本発明の画像処理装置は、セットされた原稿を順次搬送する原稿給送手段と、該原稿給送手段によって搬送されてくる原稿の原稿画像を読み取る原稿読取手段とを有する画像処理装置であって、前記原稿給送手段にセットされた原稿の第１の原稿セット向きの設定を、上辺を奥向きに設定、または上辺を左向きに設定の何れかから、第２の原稿セット向きの設定を、上辺を奥向きに設定、上辺を左向きに設定、上辺を下向きに設定、上辺を右向きに設定の何れかからそれぞれ受け付ける原稿セット向き受付手段と、前記原稿読取手段によって読み取られた原稿画像データに基づいて、前記原稿セット向き受付手段によって受け付けた第１の原稿セット向きと第２の原稿セット向きとの２方向のみについて、前記原稿給送手段にセットされた原稿の原稿セット向きを判定する原稿セット向き判定手段と、前記原稿読取手段によって読み取られた原稿画像データの回転処理を行う画像処理手段とを具備し、前記画像処理手段は、前記原稿セット向き判定手段による判定結果に基づいて原稿画像データの回転処理を行うことを特徴とする。
さらに、本発明の画像処理装置において、前記画像処理手段は、前記原稿セット向き判定手段による判定が不能であった場合、前記原稿セット向き受付手段によって受け付けた第１の原稿セット向きに基づいて回転処理を行っても良い。
さらに、本発明の画像処理装置において、原稿セット向き判定手段は、前記第１の原稿セット向きと、前記第２の原稿セット向きとにそれぞれ回転させた原稿画像データについてＯＣＲ処理を行い、それぞれ向きでの識字率をそれぞれ算出し、そして、いずれの向きでも識字率が所定の値未満であった場合には、判定不能であると判断し、いずれか一つ以上の向きで識字率が所定の値以上であった場合には、最も識字率が高い向きを原稿セット向きとして判定しても良い。
さらに、本発明の画像処理装置において、前記原稿セット向き受付手段は、第２の原稿セット向きの設定として第１の原稿セット向き以外の３方向のいずれかの原稿セット向きの設定を受け付けても良い。
【発明の効果】
【０００９】
本発明によれば、予め２方向に限定して原稿セット向きの判定を行うため、１ページあたりの原稿向きの判定処理の作業量を軽減させることができると共に、原稿セット向きが判定不能な原稿も、大半のページの原稿セット向きに合わせることで上辺を正しく揃えることができるという効果を奏する。
【図面の簡単な説明】
【００１０】
【図１】本発明に係る画像形成装置の実施の形態の構成を示す外観斜視図である。
【図２】本発明に係る画像形成装置の実施の形態の内部構成を示す断面模式図である。
【図３】図１及び２に示す複写機の概略構成を示すブロック図である。
【図４】本発明に係る画像形成装置の実施の形態における原稿セット向き修正動作について説明するためのフローチャートである。
【図５】図２に示す操作部の液晶表示部に表示される設定画面例を示す図である。
【図６】本発明に係る画像形成装置の実施の形態における原稿セット向き修正動作について説明するための説明図である。
【図７】従来の原稿セット向き修正動作について説明するための説明図である。
【図８】従来の原稿セット向き修正動作について説明するための説明図である。
【発明を実施するための形態】
【００１１】
次に、本発明の実施の形態を、図面を参照して具体的に説明する。
本実施の形態の画像形成装置１は、複写機、スキャナー、複合機等の画像を形成する装置であり、図１を参照すると、原稿読取部２と、原稿給送部３と、本体部４と、操作部５とを備えている。原稿読取部２は、本体部４の上部に配設され、原稿給送部３は、原稿読取部２の上部に配設されている。
【００１２】
画像形成装置１の手前側には、画像形成装置１の設定や動作指示を行う操作部５が配設されている。操作部５は、液晶表示部５１、操作ボタン５２が設けられている。ユーザーは操作部５を操作して指示を入力することで、画像形成装置１の各種の設定を行い、画像形成等の各種機能を実行させる。液晶表示部５１は、画像形成装置１の状態を示したり、画像形成状況や印刷部数を表示したり、タッチパネルとして、両面印刷や白黒反転等の機能や倍率設定、濃度設定など各種設定を行えるようになっている。操作ボタン５２としては、画像形成を開始するようにユーザーが指示するスタートボタン、画像形成を中止する際等に使用するストップ／クリアボタン、画像形成装置１の各種設定をデフォルト状態にする際に使用するリセットボタン、テンキー等が設けられている。
【００１３】
原稿読取部２は、図２を参照すると、スキャナー２１と、プラテンガラス２２と、原稿読取スリット２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等からなる受光部２５とを備えており、原稿給送部３による原稿ＭＳの搬送方向に移動可能に構成されている。原稿読取スリット２３は、原稿給送部３による原稿ＭＳの搬送方向と直交する方向に形成されたスリットである。
【００１４】
原稿給送部３は、原稿載置部３１と、原稿排出部３２と、原稿搬送機構３３とを備えている。原稿載置部３１にセットされた原稿ＭＳは、原稿搬送機構３３によって、１枚ずつ順次繰り出されて原稿読取スリット２３に対向する位置へ搬送され、その後、原稿排出部３２に排出される。また、原稿給送部３と原稿読取部２とは、画像形成装置１の奥側でヒンジ機構によって接続されており、原稿給送部３は、プラテンガラス２２上面を開閉するプラテンカバーとして機能する。原稿給送部３を上方に開くことで、プラテンガラス２２上面が開放され、プラテンガラス２２に原稿ＭＳをセットできる状態となる。
【００１５】
原稿載置部３１に原稿ＭＳがセットされていない状態や、原稿給送部３（プラテンカバー）が開いた開状態で、操作部５の操作ボタン５２によって原稿ＭＳの読み取りが指示されると、プラテンガラス２２にセットされた原稿ＭＳが読み取られる。プラテンガラス２２に載置された原稿ＭＳを読み取る場合には、スキャナー２１は、プラテンガラス２２に対向する位置に移動され、プラテンガラス２２にセットされた原稿ＭＳを主走査方向と直交する副走査方向に副走査方向基準線から走査しながら読み取って画像データを取得し、取得した画像データを本体部４に出力する。
【００１６】
原稿載置部３１に原稿ＭＳがセットされた状態で、操作部５の操作ボタン５２によって原稿ＭＳの読み取りが指示されると、原稿給送部３により搬送される原稿ＭＳが読み取られる。原稿ＭＳは、表面（原稿画像を読み取る面）を上にして原稿載置部３１にセットされる。そして、原稿載置部３１にセットされた原稿ＭＳは、原稿給送部３によって左側から搬送され、原稿ＭＳの表面が原稿読取スリット２３と対向位置に導かれる。また、スキャナー２１は、原稿給送部３により搬送された原稿ＭＳを読み取る場合、原稿読取スリット２３と対向する位置に移動され、原稿読取スリット２３を介し、原稿給送部３による搬送動作と同期して原稿ＭＳを読み取って画像データを取得し、取得した画像データを本体部４に出力する。
【００１７】
本体部４は、記録部６を備えると共に、給紙部４１と、給紙ローラー４２と、用紙搬送路４３と、搬送ローラー４４と、排出ローラー４５とを備えている。給紙部４１は、複数枚の記録紙Ｐが収納される給紙カセットであり、給紙ローラー４２は、給紙部４１から記録紙Ｐを１枚ずつ用紙搬送路４３に繰り出す。給紙ローラー４２によって用紙搬送路４３に繰り出された記録紙Ｐは、搬送ローラー４４によって記録部６に搬送される。そして、記録部６によって記録が施された記録紙Ｐは、排出ローラー４５によって、原稿読取部２と本体部４との間に形成された排出空間４６に排出される。このように、給紙ローラー４２、搬送ローラー４４及び排出ローラー４５は、記録紙Ｐの搬送部として機能する。
【００１８】
記録部６は、感光体ドラム６１と、帯電部６２と、露光部６３と、画像形成部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、画像データに基づくレーザー光を出力して露光し、感光体ドラム６１の表面に静電潜像を形成する。画像形成部６４は、トナーを用いて感光体ドラム６１に形成された静電潜像を現像する現像ユニットであり、静電潜像に基づいたトナー像を感光体ドラム６１上に形成させる。転写部６５は、画像形成部６４によって感光体ドラム６１上に形成されたトナー像を記録紙Ｐに転写させる。定着部６６は、転写部６５によってトナー像が転写された記録紙を加熱してトナー像を記録紙Ｐに定着させる。そして感光体ドラム６１上に残存するトナーは、クリーニング部６７によって除去される。
【００１９】
図３には、画像形成装置１の概略構成を示すブロック図が示されている。上述の原稿読取部２、原稿給送部３、搬送部（給紙ローラー４２、搬送ローラー４４、排出ローラー４５）、操作部５及び記録部６は、制御部７に接続され、制御部７によって動作制御される。また、制御部７には、画像処理部８と、記憶部９と、通信部１０と、ファクス部１１とが接続されている。
【００２０】
制御部７は、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部７は、ＲＯＭに記憶されている制御プログラムを読み出し、制御プログラムをＲＡＭに展開させることで、操作部５から入力された所定の指示情報に応じて装置全体の制御を行う。
【００２１】
画像処理部８は、画像データに対して所定の画像処理を行う手段であり、例えば、回転処理、拡大縮小処理や、階調調整、濃度調整等の画像改善処理が行われる。
【００２２】
記憶部９は、半導体メモリーやＨＤＤ（Hard Disk Drive）等の記憶手段であり、原稿読取部２によって原稿ＭＳを読み取ることで取得された画像データが記憶されると共に、各種の管理情報が記憶されている。
【００２３】
通信部１０は、ＬＡＮ等のネットワーク１２を介して、パーソナルコンピュータ等の周辺機器１３や、他の画像形成装置１ａとの間で各種データを送受信する機能を有する。また、通信部１０は、ネットワーク１２及びルーター１４を介してインターネット１５に接続可能に構成されている。そして通信部１０は、インターネット１５に接続されている各種通信機器との間で各種データを送受信する機能を有する。
【００２４】
ファクス部１１は、モデムを有し、原稿読取部２によって読み取られ、ファイル化された画像ファイルからファクシミリ信号を生成し、生成したファクシミリ信号を電話回線網１６等のネットワークを介して送信するファクシミリ送信機能と、電話回線網１６を介してファクシミリ信号を受信し、受信したファクシミリ信号から画像ファイルを生成するファクシミリ受信機能とを備えている。なお、ファクシミリ受信機能により受信生成された画像ファイルは、記憶部９に記憶されたり、記録部６によって記録紙Ｐに記録されたりする。
【００２５】
次に、本実施の形態の画像形成装置１における原稿セット向き修正動作について図４乃乃至図６を参照して詳細に説明する。本実施の形態の画像形成装置１は、原稿載置部３１に原稿ＭＳがセットされた複数枚の原稿ＭＳを読み取る際に、上辺を上向きに自動的に揃える原稿セット向き修正機能を有している。
【００２６】
ユーザーが原稿ＭＳを原稿給送部３の原稿載置部３１にセットし、操作部５によって原稿画像の読み取りを指示すると、制御部７は、図５（ａ）に示す送信先設定画面８０を液晶表示部５１に表示させ、送信先の設定を受け付ける。また、送信先設定画面８０には、機能一覧キー８０ａが設けられている。機能一覧キー８０ａが操作されると、制御部７は、図５（ｂ）に示す機能一覧画面８１を液晶表示部５１に表示させる。機能一覧画面８１は、設定する機能の選択を受け付ける画面であり、原稿セット向きキー８１ａが設けられている。
【００２７】
原稿セット向きキー８１ａが操作されると、制御部７は、図５（ｃ）及び（ｄ）に示す原稿セット向き設定画面８２を液晶表示部５１に表示させる。原稿セット向き設定画面８２には、大半の原稿セット向きである第１の原稿セット向きとして、直交する２方向の原稿セット向きのいずれかを設定するための、上辺を奥向きに設定する奥向き設定キー８２ａと、上辺を左向きに設定する左向き設定キー８２ｂとが設けられており、制御部７は、原稿セット向き受付部７１として機能し、第１の原稿セット向きの設定を受け付ける（ステップ１０１）。また、原稿セット向き設定画面８２には、一部の原稿セット向きである第２の原稿セット向きとして、上辺を奥向きに設定する一部奥向き設定キー８２ｃと、上辺を左向きに設定する一部左向き設定キー８２ｄと、上辺を下向きに設定する一部下向き設定キー８２ｅと、上辺を右向きに設定する一部右向き設定キー８２ｆとが設けられている。一部奥向き設定キー８２ｃと、一部左向き設定キー８２ｄと、一部下向き設定キー８２ｅと、一部右向き設定キー８２ｆとは、第１の原稿セット向き以外の３方向のいずれかが選択可能であり、制御部７は、原稿セット向き受付部７１として機能し、第２の原稿セット向きの設定を受け付ける（ステップ１０２）。図５（ｃ）には、奥向き設定キー８２ａによって第１の原稿セット向きが上辺を奥向きに選択されている状態が示されている。また、図５（ｄ）には、左向き設定キー８２ｂによって第１の原稿セット向きが上辺を左向きに選択されていると共に、一部奥向き設定キー８２ｃによって第２の原稿セット向きが上辺を奥向きに選択されている状態が示されている。さらに、図５（ｅ）には、原稿セット向き設定画面８２でＯＫキーが操作され、第１の原稿セット向きが上辺を左向きに設定されていると共に、第２の原稿セット向きが上辺を奥向きに設定されている状態が示されている。
次に、制御部７は、スタートボタンの操作を監視し（ステップ１０３）、スタートボタンが操作されると、まず、原稿給送部３によって最初の原稿ＭＳを給紙・搬送させ（ステップ１０４）、原稿読取部２によって原稿ＭＳを読み取って原稿画像データを取得し、取得した原稿画像データを画像メモリー７２として機能するＲＡＭに記憶させる（ステップ１０５）。
【００２８】
次に、制御部７は、原稿セット向き判定部７３として機能し、画像メモリー７２に記憶させた原稿画像データに基づいて原稿セット向き判定処理を実行する（ステップ１０６）。原稿セット向き判定部７３によるステップ１０６の判定処理は、ステップ１０１で設定を受け付けた第１の原稿セット向きと、ステップ１０２で設定を受け付けた第２の原稿セット向きとについてのみ行う。原稿セット向き判定部７３は、第１の原稿セット向きと、第２の原稿セット向きとにそれぞれ回転させた原稿画像データについてＯＣＲ処理を行い、それぞれ向きでの識字率をそれぞれ算出する。そして、いずれの向きでも識字率が所定の値未満であった場合には、判定不能であると判断し、いずれか一つ以上の向きで識字率が所定の値以上であった場合には、最も識字率が高い向きを原稿セット向きとして判定する。このように、第１の原稿セット向きと、第２の原稿セット向きとの２方向についてのみＯＣＲ処理を行い、原稿セット向きの判定を行うようにすると、判定処理の作業量が軽減され、好適である。
【００２９】
次に、原稿セット向き判定部７３は、原稿セット向きの判定に成功したか否かを判断する（ステップ１０７）。ステップ１０７で原稿セット向きの判定に成功した場合には、原稿セット向き判定部７３は、さらに、判定結果が第１の原稿セット向きか否かを判断する（ステップ１０８）。ステップ１０８で判定結果が第１の原稿セット向きである場合に、原稿セット向き判定部７３は、第１の原稿セット向きに基づく回転処理を画像処理部８に指示する。そして、画像処理部８は、第１の原稿セット向きに基づく回転処理を実行すると共に（ステップ１０９）、処理済の原稿画像データを記憶部９に保存する（ステップ１１０）。例えば、図６に示す最初のページと、２、５ページとのように、原稿セット向き判定処理の判定結果が第１の原稿セット向きである上辺左と判定された場合には、ステップ１０９の回転処理で原稿画像データを右９０°回転させる。ステップ１０８で判定結果が第１の原稿セット向きでない場合に、判定結果が第２の原稿セット向きであるため、原稿セット向き判定部７３は、第２の原稿セット向きに基づく回転処理を画像処理部８に指示する。そして、画像処理部８は、第２の原稿セット向きに基づく回転処理を実行すると共に（ステップ１１１）、処理済の原稿画像データを記憶部９に保存する（ステップ１１０）。図６に示す４ページとのように、原稿セット向き判定処理の判定結果が第２の原稿セット向きである上辺奥と判定された場合には、読み取った原稿セット向きと一致するため、ステップ１１１で回転処理が行われることなく、ステップ１１０で原稿画像データが記憶部９に保存されることになる。
【００３０】
一方、原稿セット向き判定部７３は、ステップ１０７で原稿セット向きの判定が不能であった場合には、原稿セット向き判定部７３は、第１の原稿セット向きに基づく回転処理を画像処理部８に指示する。そして、画像処理部８は、第１の原稿セット向きに基づく回転処理を実行すると共に（ステップ１１２）、処理済の原稿画像データを記憶部９に保存する（ステップ１１０）。図６に示す３ページのように、原稿セット向きの判定が不能であった場合には、第１の原稿セット向きである上辺左と判定された場合と同様に、ステップ１０９の回転処理で原稿画像データを右９０°回転させる。
【００３１】
次に、制御部７は、次の原稿ＭＳがあるか否か、すなわち原稿給送部３の原稿載置部３１に原稿ＭＳが載置されているか否かを判断し（ステップ１１３）、次の原稿ＭＳがある場合には、ステップ１０４に戻って原稿給送部３によって次の原稿ＭＳを給紙・搬送させる。
【００３２】
ステップ１１３で次の原稿ＭＳがない場合には、制御部７は、ファイル作成部７４として機能し、ステップ１１０で記憶部９に保存した全ページの原稿画像データから画像ファイルを作成する（ステップ１１４）。そして、制御部７は、送信部７５として機能し、図５（ａ）に示す送信先設定画面８０で受け付けた送信先に、ステップ１２１で作成した画像ファイルを送信し（ステップ１１５）、処理を終了させる。
【００３３】
以上説明したように、本実施の形態においては、セットされた原稿ＭＳを順次搬送する原稿給送部３と、原稿給送部３によって搬送されてくる原稿ＭＳの原稿画像を読み取る原稿読取部２とを有する画像形成装置１であって、原稿給送部３にセットされた原稿ＭＳの第１の原稿セット向きの設定と第２の原稿セット向きの設定とをそれぞれ受け付ける原稿セット向き受付部７１と、原稿読取部２によって読み取られた原稿画像データに基づいて、原稿セット向き受付部７１によって受け付けた第１の原稿セット向きと第２の原稿セット向きとの２方向のみについて、原稿給送部３にセットされた原稿ＭＳの原稿セット向きを判定する原稿セット向き判定部７３と、原稿読取部２によって読み取られた原稿画像データの回転処理を行う画像処理部８とを具備し、画像処理部８は、原稿セット向き判定部７３による判定結果に基づいて原稿画像データの回転処理を行うと共に、原稿セット向き判定部７３による判定が不能であった場合、原稿セット向き受付部７１によって受け付けた第１の原稿セット向きに基づいて回転処理を行うように構成されている。
この構成により、予め２方向に限定して原稿セット向きの判定を行うため、１ページあたりの原稿向きの判定処理の作業量を軽減させることができると共に、原稿セット向きが判定不能な原稿も、大半のページの原稿セット向きに合わせることで上辺を正しく揃えることができる。すなわち、一般的な複数ページからなる原稿束をみてみると、多くのページ（写真ページ）の上辺は同じ方向で、一部のページの上辺が他のページと異なる向きとなっていることが多い。従って、ユーザーは、想定される２方向を予め確認することができ、原稿向きの判定を２方向に限定することができる。
【００３４】
さらに、本実施の形態においては、原稿セット向き受付部７１は、第１の原稿セット向きの設定として直交する２方向（上辺奥、上辺左）のいずれかの原稿セット向きの設定を受け付けると共に、第２の原稿セット向きの設定として第１の原稿セット向き以外の３方向（上辺奥、上辺左、上辺下、上辺右の内の３方向）のいずれかの原稿セット向きの設定を受け付けるように構成されている。
この構成により、ユーザーが迷うことなく、第１の原稿セット向きと第２の原稿セット向きとの設定を行うことができる
【００３５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００３６】
１  画像形成装置
１ａ  画像形成装置
２  原稿読取部
３  原稿給送部
４  本体部
５  操作部
６  記録部
７  制御部
８  画像処理部
９  記憶部
１０  通信部
１１  ファクス部
１２  ネットワーク
１３  周辺機器
１４  ルーター
１５  インターネット
１６  電話回線網
２１  スキャナー
２２  プラテンガラス
２３  原稿読取スリット
２４  光源
２５  受光部
３１  原稿載置部
３２  原稿排出部
３３  原稿搬送機構
４１  給紙部
４２  給紙ローラー
４３  用紙搬送路
４４  搬送ローラー
４５  排出ローラー
４６  排出空間
５１  液晶表示部
５２  操作ボタン
６１  感光体ドラム
６２  帯電部
６３  露光部
６４  画像形成部
６５  転写部
６６  定着部
６７  クリーニング部
７１  原稿セット向き受付部
７２  画像メモリー
７３  原稿セット向き判定部
７４  ファイル作成部
７５  送信部
８０  送信先設定画面
８０ａ  機能一覧キー
８１  機能一覧画面
８１ａ  原稿セット向きキー
８２  原稿セット向き設定画面
８２ａ  奥向き設定キー
８２ｂ  左向き設定キー
８２ｃ  一部奥向き設定キー
８２ｄ  一部左向き設定キー
８２ｅ  一部下向き設定キー
８２ｆ  一部右向き設定キー
【図１】
0006022653.tif 000002
【図２】
0006022653.tif 000003
【図３】
0006022653.tif 000004
【図４】
0006022653.tif 000005
【図５】
0006022653.tif 000006
【図６】
0006022653.tif 000007
【図７】
0006022653.tif 000008
【図８】
0006022653.tif 000009